(57)【特許請求の範囲】
【請求項１】
ａ：３本以上の電池が保護部材内に並べられた状態で配置され、該保護部材の表面に、前記電池に沿う方向に延在する凹部が少なくとも２つ形成されている電池パックと、
ｂ：前記電池パックが挿入されるケースと、
を備え、
前記電池パックに関し、前記電池が並ぶ方向を長手方向と定義すると、前記ケースは、前記電池パックを前記長手方向に移動させて該ケース内に挿入される構造となっており、
前記ケースには、
弾性変形可能なアーム部とその先端側に設けられた当接部とを有する押さえ部材であって、前記電池パックが前記ケース内に入った状態で、前記当接部が前記凹部に弾性的に押し当たる、第１の押さえ部材と第２の押さえ部材が、前記長手方向に沿って多段に形成されており、
前記第１の押さえ部材と、前記第２の押さえ部材とが、前記長手方向に直交する方向に位置をずらして配置されている、
屋外データ収集装置の付属装置。
【請求項２】
ａ：３本以上の電池が保護部材内に並べられた状態で配置され、該保護部材の表面に、前記電池に沿う方向に延在する凹部が少なくとも２つ形成されている電池パックと、
ｂ：前記電池パックが挿入されるケースと、
を備え、
前記電池パックに関し、前記電池が並ぶ方向を長手方向と定義すると、前記ケースは、前記電池パックを前記長手方向に移動させて該ケース内に挿入される構造となっており、
前記ケースには、
弾性変形可能なアーム部とその先端側に設けられた当接部とを有する押さえ部材であって、前記電池パックが前記ケース内に入った状態で、前記当接部が前記凹部に弾性的に押し当たる、第１の押さえ部材と第２の押さえ部材が、前記長手方向に沿って多段に形成されており、
前記第１の押さえ部材と、前記第２の押さえ部材とが、互いに逆向きに延在するように形成されている、
屋外データ収集装置の付属装置。
【請求項３】
ａ：３本以上の電池が保護部材内に並べられた状態で配置され、該保護部材の表面に、前記電池に沿う方向に延在する凹部が少なくとも２つ形成されている電池パックと、
ｂ：前記電池パックが挿入されるケースと、
を備え、
前記電池パックに関し、前記電池が並ぶ方向を長手方向と定義すると、前記ケースは、前記電池パックを前記長手方向に移動させて該ケース内に挿入される構造となっており、
前記ケースには、
弾性変形可能なアーム部とその先端側に設けられた当接部とを有する押さえ部材であって、前記電池パックが前記ケース内に入った状態で、前記当接部が前記凹部に弾性的に押し当たる、第１の押さえ部材と第２の押さえ部材が、前記長手方向に沿って多段に形成されており、
前記第１の押さえ部材と、前記第２の押さえ部材とが、前記長手方向に直交する方向に位置をずらして配置されており、かつ、互いに逆向きに延在するように形成されている、
屋外データ収集装置の付属装置。
【請求項４】
ａ：３本以上の電池が保護部材内に並べられた状態で配置され、該保護部材の表面に、前記電池に沿う方向に延在する凹部が少なくとも２つ形成されている電池パックと、
ｂ：前記電池パックが挿入されるケースと、
を備え、
前記電池パックに関し、前記電池が並ぶ方向を長手方向と定義すると、前記ケースは、前記電池パックを前記長手方向に移動させて該ケース内に挿入される構造となっており、
前記ケースには、
弾性変形可能なアーム部とその先端側に設けられた当接部とを有する押さえ部材であって、前記電池パックが前記ケース内に入った状態で、前記当接部が前記凹部に弾性的に押し当たる、押さえ部材が形成されており、
前記押さえ部材のアーム部が、前記長手方向に交差する方向に延在するように形成されている、
屋外データ収集装置の付属装置。
【請求項５】
前記ケースは、前記長手方向に沿って多段に形成された、
第１の前記押さえ部材と、
第２の前記押さえ部材と、
を有する、
請求項４に記載の付属装置。
【請求項６】
前記ケースには、
前記電池パックが挿入される際に該電池パックの側面角部に当接し、前記電池パックの側面中央部の電極部をケースの内壁から離間させる、複数のガイド突起が形成されている、
請求項１〜５のいずれか一項に記載の付属装置。
【請求項７】
前記ケースは前記電池パックが挿入される開口部を鉛直下向きにして取り付けられる、
請求項１〜６のいずれか一項に記載の付属装置。
【請求項８】
さらに、
所定の信号を外部に無線方式で外部に送信する通信モジュールと、
その通信モジュールに接続された制御回路と、
を備える、請求項１〜７のいずれか一項に記載の付属装置。
【請求項９】
前記電池は円柱形状である、請求項１〜８のいずれか一項に記載の付属装置。
【発明の詳細な説明】
【技術分野】
【０００１】
本発明は屋外データ収集装置の付属装置に関し、特には、複数の電池が保護フィルムによってパッキングされ表面が凹凸状となった電池パックをケース内に挿入して収容する構成においてその電池パックの挿入および取外しを安定的に行うことができる、屋外データ収集装置の付属装置に関する。
【背景技術】
【０００２】
近年、例えば水道メータ等の屋外計測器に関し、メータに通信機能を組み込んで、計測値を遠隔集計したり、宅内の家電機器と無線接続してＨＥＭＳに活用したりするといった、所謂スマートメータ化が提案されている。
【０００３】
また、屋外計測器の付近に他の通信装置を取り付けるようなことも提案されている（例えば特許文献１参照）。通信装置としては、特に所定の用途に限定されるものではなく、種々の情報を送受信する様々なものが想定される。
【先行技術文献】
【特許文献】
【０００４】
【特許文献１】特開２０１５−１９８３５５号公報
【発明の概要】
【発明が解決しようとする課題】
【０００５】
ところで、上述のような通信装置の電源としては商用電源の利用も可能であるが、バッテリー等の利用も想定される。バッテリーの利用に際しては、それを取り付ける場合や、あるいは交換する場合に、バッテリーを損傷させたりすることの無いよう、安定的に作業を行えるようになっていることが望ましい。
【０００６】
バッテリーとしては、例えば外形が直方体型で、それを通信装置の所定の収容部に装填するようなものも考えられるが、本発明では、特に、複数の電池がフィルムによってパッキングされ表面が凹凸状となった電池パックを対象とする。
【０００７】
そこで、本発明の目的は、複数の電池がフィルムによってパッキングされ表面が凹凸状となった電池パックをケース内に挿入して収容する構成においてその電池パックの挿入および取外しを安定的に行うことができる、屋外データ収集装置の付属装置を提供することにある。
【課題を解決するための手段】
【０００８】
上記目的を達成するための本発明の一形態に係る屋外データ収集装置の付属装置は、次のとおりである：
ａ：複数の電池が保護部材内に並べられた状態で配置され、該保護部材の表面に、前記電池に沿う方向に延在する凹部が少なくとも１つ形成されている電池パックと、
ｂ：前記電池パックが挿入されるケースと、
を備え、
前記ケースには、
弾性変形可能なアーム部とその先端側に設けられた当接部とを有する押さえ部材であって、前記電池パックが前記ケース内に入った状態で、前記当接部が前記凹部に弾性的に押し当たる、押さえ部材が形成されている、
屋外データ収集装置の付属装置。
【０００９】
（語句の説明）
「屋外データ収集装置」とは、屋外に配置され、所定の検出対象からのデータを収集する装置のことを意図し、また、その「付属装置」とは、通信機能を有する所定の装置をはじめとして、それ以外にも、例えば補助電源装置のような通信機能は備わっていないが屋外データ収集装置に接続して（あるいはその付近に配置して）使用されるようなものを意図する。
【発明の効果】
【００１０】
本発明によれば、複数の電池がフィルムによってパッキングされ表面が凹凸状となった電池パックをケース内に挿入して収容する構成においてその電池パックの挿入および取外しを安定的に行うことができる、屋外データ収集装置の付属装置を提供することができる。
【図面の簡単な説明】
【００１１】
【図１】本発明の一形態の屋外計測器システムの構成を模式的に示す図である。
【図２】通信装置の内部構成を模式的に示す図である。
【図３】電池パックの外観を示す斜視図である。
【図４】ケースの外観を示す斜視図である（電池パックを挿入する段階）。
【図５】ケース本体内に電池パックが挿入される途中の状態を示す断面図である。
【図６】押さえ部材の先端部形状の幾つかの例を示す図である。
【図７】ケース本体内の導入ガイド部を示す図である。
【図８】ケース本体に電池パックを挿入する際の状態を模式的に示す図である。
【図９】ケース本体の他の構成例を示す図である。
【図１０】ケース本体のさらに他の構成例を示す図である。
【図１１】ケース本体のさらに別の構成例を示す図である。
【図１２】ケース本体に対して別部材が取り付けられ１つのケースを構成する例を示す図である。
【発明を実施するための形態】
【００１２】
以下、本発明の一形態に係る屋外計測器システムについて、図面を参照して説明する。以下では、通信機能を備えた通信装置について説明するが、通信機能は本発明の必須の構成要素ではなく、したがって本発明は屋外計測器の付近に設置される他の付属装置にも適用可能である。さらには、計測器以外のデータ収集装置を利用するものであってもよい。
【００１３】
図１に示すように、この屋外計測器システムは、例えば、配管１１に接続された計測器１０とその付近に設置される通信装置３０とを備えている。計測器１０は屋外に配置された既設のものあってもよい。
【００１４】
通信装置３０は、図２に示すように、制御回路３１と、無線通信モジュール３３と、それらに電力を供給する電源部３４を備えている。制御回路３１は、図示は省略するが、メモリやＣＰＵ（プロセッサ）等を有し、コンピュータプログラムによって所定の動作を行うように構成されたものであってもよい。電源部３４は後述するように、電池パック３５とそれを収容するケース４０とを有している。
【００１５】
限定されるものではないが、制御回路３１は、計測器１０から取得したデータを、必要に応じて処理したうえで、無線通信モジュール３３経由で外部に送信する制御を行うものであってもよい。通信装置３０と計測器１０との接続は、例えば、インターフェース３２に接続されたケーブル（不図示）を介した有線接続であってもよいが、必ずしもこれに限定されない。
【００１６】
無線通信モジュール３３としては、所定のデータを外部に送信できるものであればよく、特定構造に限定されるものではなく種々のものを利用することができる。
【００１７】
（電池パック）
電池パック３５としては、一例として、リチウムイオン電池などの二次電池を利用可能である。本実施形態では、円柱状の電池３６（一例で単３乾電池型でもよい）を略平行に並べて保護フィルム３７でパッキングされた構成となっている。電池３６の本数は、限定されるものではないが一例で４本である。電池３６は、２本、３本または５本以上であってもよい。
【００１８】
ここで、電池パック３５の全体形状に関する方向等の定義を行う。本実施形態では、図３に示す横方向（電池３６が並ぶ方向）を電池パック３５の「長手方向」と称するものとする。また、図３の奥行き方向を電池パック３５の「幅方向」とし、高さ方向を「厚み方向」と称するものとする。また、電池パック３５の上面３５ｕ、下面３５ｂや、側面３５ｓ等の表現も必要に応じて使用する。
【００１９】
複数の電池３６は、図３に示すように、樹脂製の保護フィルム３７によってパッキングされており、その結果、最終的な電池パック３５は、電池３６の形状に沿って上面３５ｕおよび下面３５ｂが凹凸状となっている。図３では、３つの凹部３９−１〜３９−３（単に凹部３９ともいう）が描かれている。図からも明らかであるが、凹部３９はなだらかな円弧状に湾曲して窪んでおり、電池パック３５の全幅にわたって直線状に延びている。
【００２０】
電池３６どうしの電気的な接続は電池パック３５の側面３５ｓに配置されたバスバー（不図示、保護フィルム３７内に配置）等によって行われている。電池パック３５からはコネクタ３８付きのケーブル３８ａが引き出されている。
【００２１】
電池パック３５は、通信装置３０の長期の動作（一例で１年以上、好ましくは３年以上、さらに好ましくは５年以上）を実現できるように、比較的大容量であることが望ましい。電池容量は、例えば電池１本当り１０００ｍＡｈ程度であってもよく、具体的な一例として２４００ｍＡｈの電池を４本使用するものであってもよい。本実施形態では、例えば、電池パック３５の外形サイズは、長手方向の寸法が５０ｍｍ以上であり、奥行方向の寸法が３０ｍｍ以上であり、厚み方向の寸法が１０ｍｍ以上である。このような電池パック３５は、サイズが比較的大型となるものの、大容量であり長期にわたって使用できる点で好適である。
【００２２】
（ケース）
続いて、図４、図５を参照して、電池パック３５が収容されるケース４０について説明する。ケース４０は、図４に示すように、下面側が開口した箱状のケース本体４１と、その下面開口部を塞ぐことができるように開閉自在に取り付けられた蓋体４８とを有している。同図では下端開口部を符号４１ａで示している。
【００２３】
なお、図示は省略するが、ケース４０は、屋外に配置されて使用される際に雨等がケース４０内に浸入しないように保護カバーに収容される構成となっている。保護カバーとしては、例えば樹脂製のハードケース等であってもよい。ここで、ケース４０は、図４のような鉛直縦向きの姿勢ではなく、水平横向きの姿勢で配置されてもよい。ただし、この場合、通信装置３０の奥行方向のサイズの大型化につながるので、このような観点から図４のような姿勢であることが、一形態において、好ましい。保護カバーに関し、より具体的には、ケース４０を全体的に覆い、下方に、電池パック３５を出し入れするための開口部が形成されたようなものであってもよい。保護カバーは、一例で、下端が開口した箱状のものであってもよい。
【００２４】
上述のようなケース４０に対する電池パック３５の挿入方法を先ず説明すると、電池パック３５は、蓋体４８を開けた状態で、下端開口部４１ａからケース本体４１内へと挿入される。挿入していく際の具体的な挙動については後述するが、このように電池パック３５が鉛直方向に挿入される構成の場合、仮に電池パック３５を保持しておく機構が無いと、装着作業や交換作業の際に電池パック３５が自重で落下することも想定される。
【００２５】
（押さえ部材）
そこで、本実施形態の構成では、ケース本体４１に弾性変形可能な押さえ部材４３−１、４３−２（単に押さえ部材４３ともいう）を設け、電池パック３５が保持される構成としている。押さえ部材４３は、図４の例では、上下二段にそれぞれ２つずつ形成されている。上段の押さえ部材は符号４３−１で表し、下段の押さえ部材は符号４３−２で表す。
【００２６】
押さえ部材４３は、図５にも示すように、片持ち梁状に形成され弾性変形可能なアーム部４３ａとその先端側に設けられた当接部４３ｂとを有している。
【００２７】
図４の例では、押さえ部材４３は、上方に向かって延びるように（換言すれば、電池パックの挿入方向と同方向に）形成されている。他の態様については、別の実施形態として、他の図面を参照しながら後述するものとする。
【００２８】
当接部４３ｂは、最終的には、電池パック３５の凹部３９に弾性的に押し当たって係合する部分である。電池パック３５の挿入のし易さ、取外し易さなどを考えると、当接部４３ｂは緩やかに湾曲した形状であることが好ましい。具体的には、図６（ａ）に示すように円筒の一部分のような湾曲面であってもよいし、または、図６（ｂ）半球状であってもよい。なお、半球状とは、必ずしも球体を正確に半分に分割したものに限定されるものではない。
【００２９】
押さえ部材４３は、ケース本体４１に一体的に形成されていてもよいし、別体であっても良い。ケース４１は、樹脂製または金属製のいずれであっても構わない。押さえ部材４３と電池パック３５の位置関係について付言すれば、押さえ部材４３は、電池パック３５をケース本体４１内に完全に収容した状態で、その当接部４３ｂの頂部が電池パック３５の凹部３９の最も窪んだ箇所に位置するような構成であることが、一形態において、好ましい。
【００３０】
（導入ガイド部）
ところで、電池パック３５の側面３５ｓには不図示のバスバー等が配置されていると上記で説明した。電池パック３５の装着や交換の作業時に、バスバーやその付近（側面の中央部付近）がケース等にぶつかって衝撃が加わるとバスバーや電気的接続部が破損するおそれがある。
【００３１】
そこで、本実施形態では、図７、図８に示すように、ケース本体４１の入口部および最奥部付近に、複数の導入ガイド部５１を形成している。導入ガイド部５１は、電池パック３５を挿入する際に同パック３５ｓの側面の角部付近（図８参照）に当接し、前記電池パックの側面３５ｓの中央部３５ｃ付近をケース本体４１の内壁から離間させる役割を果たすものである。なお、図７、図８は、説明の都合上、図示上方の壁面を省略して描いた模式的斜視図である。
【００３２】
この例では、導入ガイド部５１は、ケース本体４１の開口部を正面側から見て（図８参照）、ケース本体４１の内部の４隅部に１つずつ形成されている。同様に、最奥部付近のいても、ケース本体４１の内部の４隅部に１つずつ形成されている。
【００３３】
導入ガイド５１は、一例で、電池パック３５の角部に接するテーパ面を有する形状となっている。より具体的には、直角三角柱を横向きにしたような形状としてもよい。もっとも、同様の役割を果すものであれば、導入ガイド部５１の具体的な形状は限定されるものではなく、例えば、リブや突状部などで形成してもよい。
【００３４】
図７の例では、入口部と最奥部付近のみに導入ガイド部５１を設けているが、これに限定されるものではなく、例えば、入口部から最奥部付近まで長い導入ガイド部５１が形成されていてもよい。導入ガイド部５１の個数は特に限定されるものではなく、適宜変更可能である。図７に描かれている導入ガイド部５１が全て必須というわけではなく、幾つかを省略するようにしてもよい。例えば、入口部の導入ガイド部に関し、図７の図示下方の２つのみを形成するようにしてもよい。同様に、最奥部の導入ガイド部に関しても、下方の２つのみを形成するようにしてもよい。入口部は２つ最奥部は４つ、または、入口部は４つ最奥部は２つのような構成も可能である。
【００３５】
本実施形態では、押さえ部材４３によって電池パック３５が付勢される構成であり、それにより、導入ガイド部５１（特に図７、図８の図示下方に配置されたもの）による電池パック３５のガイド作用を効果的に発揮させることが可能となっている。すなわち、電池パックの脱着時には、押さえ部材４３によって付勢している作用により、電池パック３５より確実に導入ガイド部５１に当接し、電池パック３５の幅方向の位置が適切にガイドされる。
【００３６】
（電池パックの取付け）
上述のように構成された本実施形態における電池パック３５の挿入について説明する。ここで、図４、図５に模式的に示すように、ケース本体４１は下向きに開口し、蓋体４８が開いた状態となっている。このケース部材４１に対して、電池パック３５を下方から挿入する。具体的には、電池パック３５はコネクタ３８が下方となるような向きで挿入される。
【００３７】
電池パック３５をケース部材４１内に挿入していくと、先ず、下方の押さえ部４３−２の当接部４３ｂが、電池パック３５の先頭側の電池の外周面に押し当りながら弾性変形し、１つ目の凹部３９−１のところに嵌り込む。
【００３８】
続いてさらに電池パック３５を挿入していくと、当接部４３ｂは２つ目の電池を超えて２つ目の凹部３９−２に嵌り込む。そしてさらに挿入を続けると、下方の押さえ部材４３−２の当接部が３つ目の電池を超えて３つ目の凹部３９−３に嵌り込み、また、それと同時に、上方の押さえ部材４３−１の当接部４３ｂが１つの目の凹部３９−１のところに嵌り込んだ状態となる。
【００３９】
上記一連の手順によって、最終的には、上下二段の押さえ部材４３−１、４３−２によって電池パック３５が弾性的に押さえられた状態となり、電池パック３５の位置決めおよび保持が行われる。
【００４０】
その後、蓋体４８を閉じ、また、コネクタ３８を所定の接続部位（不図示）に接続することで、電池パック３５の取付けを完了する。
【００４１】
以上のような本実施形態の構成によれば、ケース本体４１に押さえ部材４３が設けられており、この押さえ部材４３で電池パック３５の凹部３９を弾性的に押さえるものであるので、表面に凹凸がある本実施形態のような電池パック３５であっても良好に保持できるものとなる。
【００４２】
特に、本実施形態では、押さえ部材４３は上下多段に形成されており（押さえ部材４３−１、４３−２）、電池パック３５の挿入に応じて押さえ部材４３からの付勢力が段階的にかかるようになっている。このような構成によれば、押さえ部材４３が一段のみ（例えば押さえ部材４３−１）の構成と比較して、より安定的な保持が可能となり、また、取り外しに際しては、取外しの途中でも押さえ部材４３−２によって電池パック３５が仮保持された状態となるので、同パックの落下性等を低減できる。
【００４３】
また、本実施形態では、電池パック３５が完全にケース４０内に収容されると、各押さえ部材４３の先端側の当接部４３ｂが電池パック３５の凹部３９に入り込むようになっている。このように、電池パック３５の表面の凹凸を利用した保持態様の場合、次のような利点もある。すなわち、例えば直方体型の電池パック（不図示）を保持しようとした場合、押さえ部材の先端部を単に電池パックの側面に弾性的に押し付ける構成では、摩擦力による保持作用のみとなる。この場合、本実施形態のように鉛直方向に配置される電池パック３５を安定的に保持することは比較的困難である。これに対して、本実施形態では、各押さえ部材４３の当接部４３ｂが凹部３９に入り込んで押さえ付けるので、安定的な保持が可能となり、電池パック３５の落下等をより効果的に防止することができる。
【００４４】
また、本実施形態では、ケース本体の内部に複数の導入ガイド部５１が設けられている。そのため、電池パック３５を挿入する際にその側面（バスバー等が配置される箇所）がケース本体４１の内壁から離間させられる。その結果、バスバー等がケース内にぶつかって破損するような可能性も低減する。
【００４５】
（その他の実施形態）
本発明は上述の実施形態の開示内容に限定されるものではなく、種々変更可能である。図９は、押さえ部４３の配置の幾つかの形態の例を示す図である。図の上下方向は電池パックの挿入方向に対応している。
【００４６】
図９（ａ）のように、押さえ部材４３−１と押さえ部材４３−２とが多段でかつ左右方向の位置をずらして設けられていてもよい。この例では、押さえ部材４３−１、４３−２は同方向に延在している。図９（ｂ）のように、押さえ部材４３−１、４３−２が同一直線上に揃うように設けられていてもよい。また、図９（ｃ）のように、押さえ部材４３−１、４３−２を、左右方向の位置をすらして設けるとともに、互いに対向する向きに延在するような態様で形成してもよい。図９（ｄ）のように、図９（ｃ）の押さえ部材４３−１、４３−２を同一直線上に揃うように配置してもよい。
【００４７】
押さえ部材は、電池パックの挿入方向と同方向に延在する形態の他にも、図１０のように交差する方向（この例では、略直交する方向）に延在していてもよい。また、図１１に示すように、押さえ部材４３−１′、４３−２′が左右方向の位置をずらして設けられている構成によれば、押さえ部材の長さに自由度ができ、長さを変えることによって押さえ部材の押付け力を調整できる点で有利である。各押さえ部材４３−１′、４３−２′の当接部（不図示）は、電池パックにおける同一の凹部（図３参照）を押さえるようになっていてもよいが、電池パックの着脱時の段階的な保持という観点からは、異なる凹部を押されるようになっていることが、一形態において、好ましい。
【００４８】
なお、当然ながら、図９に開示される技術的思想と図１０や図１１に開示される技術的思想は適宜組み合わせてもよい。図１０の場合、電池パックの挿入および取り外しのし易さの観点から、図６（ｂ）のような先端部形状を採用することが、一形態において、好ましい。
【００４９】
上述の実施形態では、ケース本体４１を１つの箱状のものとして説明したが、図１２のように、ケース本体４１に対して別部材４１′が取り付けられるような構成としてもよい。この例では、別部材４１′に押さえ部材４３−１、４３−２が形成されている。特に限定されるものではないが、別部材４１′をケース本体４１に固定する方式は、一例で、ネジ等の固定具を用いたものであってもよい。または、例えば一方の部材に形成された突起などの係合部が他方の部材に形成された凹部ないし開口部などの係合部とが係合することによって固定が行われるものであってもよい。
【００５０】
（付記）
本出願は、少なくとも以下の発明を開示する：
１．ａ：複数の電池（３６）が保護部材（３７）内に並べられた状態で配置され、該保護部材の表面に、上記電池に沿う方向に延在する凹部（３９）が少なくとも１つ形成されている電池パック（３５）と、
ｂ：上記電池パック（３５）が挿入されるケース（４０）と、を備え、
上記ケース（４０）には、
弾性変形可能なアーム部（４３ａ）とその先端側に設けられた当接部（４３ｂ）とを有する押さえ部材（４３）であって、上記電池パックが上記ケース内に入った状態で、上記当接部（４３ｂ）が上記凹部に弾性的に押し当たる、押さえ部材（４３）が形成されている、屋外データ収集装置の付属装置。
【００５１】
２．上記電池パックに関し、上記電池が並ぶ方向を長手方向と定義し、上記ケースは、上記電池パックを上記長手方向に移動させて該ケース内に挿入される構造となっている、上記記載の付属装置。
【００５２】
３．上記電池パック（３５）は、３本以上の上記電池を有する、上記記載の付属装置。
【００５３】
４．上記ケース（４１）は、上記長手方向に沿って多段に形成された、第１の上記押さえ部材（４３−１）と、第２の上記押さえ部材（４３−２）と、
を有する、上記記載の付属装置。
【００５４】
５．上記第１の押さえ部材と、上記第２の押さえ部材とが、上記長手方向に直交する方向に位置をずらして配置されており、かつ、互いに逆向きに延在するように形成されている、上記記載の付属装置。
【００５５】
６．上記押さえ部材のアーム部が、上記長手方向に交差する方向に延在するように形成されている、上記記載の付属装置。
【００５６】
７．上記ケース（４１）には、
上記電池パックが挿入される際に該電池パックの側面角部に当接し、上記電池パックの側面中央部の電極部をケースの内壁から離間させる、複数のガイド突起（５１）が形成されている、上記記載の付属装置。
【００５７】
８．上記ケースは上記電池パックが挿入される開口部を鉛直下向きにして取り付けられる、上記記載の付属装置。
【００５８】
９．さらに、所定の信号を外部に無線方式で外部に送信する通信モジュールと、その通信モジュールに接続された制御回路と、を備える、上記記載の付属装置。
【００５９】
１０．上記電池は円柱形状である、上記記載の付属装置。
【符号の説明】
【００６０】
１０  計測器
１１  配管
３０  通信装置
３１  制御回路
３２  インターフェース
３３  無線通信モジュール
３４  電源
３５  電池パック
３６  電池
３７  保護フィルム
３９  凹部
４０  ケース
４１  ケース本体
４１ａ  開口部
４１′  別部材
４３  押さえ部材
４８  蓋体
【図１】
0006988120.tif 000002
【図２】
0006988120.tif 000003
【図３】
0006988120.tif 000004
【図４】
0006988120.tif 000005
【図５】
0006988120.tif 000006
【図６】
0006988120.tif 000007
【図７】
0006988120.tif 000008
【図８】
0006988120.tif 000009
【図９】
0006988120.tif 000010
【図１０】
0006988120.tif 000011
【図１１】
0006988120.tif 000012
【図１２】
0006988120.tif 000013